(57)【要約】【課題】特定エリアでの特定呼種の携帯電話の通信規制を実現する。【解決手段】規制専用のフェムトセル１６を設ける。メジャーメント・レポートの受信をトリガにして、ＵＥインボルブド・ＳＲＮＳ・リロケーション・ウイズアウト・Ｉｕｒを起動する。規制専用のフェムトセル１６は、リロケーションが完了すると、規制対象の呼種であるかどうかを判断し、規制対象の呼種である場合には、移動交換局１５に、ＲＡＢ解放リクエストを送信して、呼解放する。また、ＲＲＣコネクション・リクエストを受信すると、規制対象の呼種であるかどうかを判断し、規制対象の呼種である場合には、コネクションを拒否する。これにより、規制専用のフェムトセル１６が配置された特定エリアの特定呼種の発呼を規制することができる。【選択図】図２
2010206766.tif 000002
【特許請求の範囲】
【請求項１】
移動端末と、前記移動端末と無線で通信を行う基地局と、前記基地局の制御を行う基地局制御装置と、他の局とのリンクの制御を行う移動交換局とから構成される移動通信システムにおいて、
特定の呼種の発呼を規制するフェムトセルを、発呼を規制する特定のエリアに配置したことを特徴とする移動通信システム。
【請求項２】
移動端末と、前記移動端末と無線で通信を行う基地局と、前記基地局の制御を行う基地局制御装置と、他の局とのリンクの制御を行う移動交換局とから構成される移動通信システムの通信規制方法において、
特定の呼種の発呼を規制するフェムトセルを、発呼を規制する特定のエリアに配置し、
前記基地局は、前記移動端末からのメジャーメント・レポートの受信をトリガとして、前記フェムトセルに対して他にリンクしないリロケーションを起動することを特徴とする移動通信システムの通信規制方法。
【請求項３】
前記フェムトセルは、リロケーションが完了すると、規制対象の呼種であるかどうかを判断し、規制対象の呼種である場合に、呼解放することを特徴とする請求項２に記載の移動通信システムの通信規制方法。
【請求項４】
前記フェムトセルは、コネクション・リクエストを受信した場合には、規制対象の呼種であるかどうかを判断し、規制対象の呼種である場合に、コネクションを拒否することを特徴とする請求項２に記載の移動通信システムの通信規制方法。
【請求項５】
移動端末と、前記移動端末と無線で通信を行う基地局と、前記基地局の制御を行う基地局制御装置と、他の局とのリンクの制御を行う移動交換局とから構成される移動通信システムの通信規制方法において、
特定の呼種の発呼を規制するフェムトセルを、発呼を規制する特定のエリアに配置し、
前記基地局は、前記移動端末からのメジャーメント・レポートの受信をトリガとして、当該移動端末からの呼の呼種が前記フェムトセルにおいて規制対象の呼種であるかどうかを判断し、規制対象の呼種である場合に、呼解放することを特徴とする移動通信システムの通信規制方法。
【請求項６】
前記フェムトセルまたは、前記基地局は、規制対象の呼種を検出する毎に、相手側の移動端末の識別番号に対応付けて検出回数を記憶手段に登録し、
前記記憶手段が記憶する検出回数のうち、検出回数が所定の値以上となるものが存在する場合に当該検出回数に対応付けられた識別番号を外部システムに通知することを特徴とする請求項３から請求項５の何れか１項に記載の移動通信システムの通信規制方法。
【請求項７】
移動端末と、前記移動端末と無線で通信を行う基地局と、前記基地局の制御を行う基地局制御装置と、他の局とのリンクの制御を行う移動交換局とから構成され、特定の呼種の発呼を規制するフェムトセルを、発呼を規制する特定のエリアに配置した移動通信システムにおける基地局であって、
前記移動端末からのメジャーメント・レポートの受信をトリガとして、前記フェムトセルに対して他にリンクしないリロケーションを起動する手段を備えたことを特徴とする基地局。
【請求項８】
移動端末と、前記移動端末と無線で通信を行う基地局と、前記基地局の制御を行う基地局制御装置と、他の局とのリンクの制御を行う移動交換局とから構成され、特定の呼種の発呼を規制するフェムトセルを、発呼を規制する特定のエリアに配置した移動通信システムにおける基地局であって、
前記移動端末からのメジャーメント・レポートの受信をトリガとして、当該移動端末からの呼の呼種が前記フェムトセルにおいて規制対象の呼種であるかどうかを判断し、規制対象の呼種である場合に、呼解放する手段を備えたことを特徴とする基地局。
【請求項９】
発呼を規制する特定のエリアに配置され、特定の呼種の発呼を規制するフェムトセルであって、
リロケーションが完了した場合に、規制対象の呼種であるかどうかを判断する手段と、規制対象の呼種である場合に、通信を切断する手段とを備えたことを特徴とするフェムトセル。
【請求項１０】
発呼を規制する特定のエリアに配置され、特定の呼種の発呼を規制するフェムトセルであって、
コネクション・リクエストを受信した場合には、規制対象の呼種であるかどうかを判断する手段と、規制対象の呼種である場合に、コネクションを拒否する手段と備えたことを特徴とするフェムトセル。
【発明の詳細な説明】
【技術分野】
【０００１】
本発明は、移動通信システム、移動通信システムの通信規制方法、基地局、及びフェムトセルに関するもので、特に、特定エリアでの通信規制に係わる。
【背景技術】
【０００２】
現在、特定エリア（特に、現金自動支払機の周辺）での携帯電話の使用が社会問題になっている。その対策として、携帯電話の電波を妨害する装置が開発されている。例えば、特許文献１には、移動機の利用を制限したい特定エリア内に妨害装置を設け、妨害装置に制御チャネル監視部と、この制御チャネル監視部の制御により妨害電波を特定エリアに出力する妨害電波発生部を備え、制御チャネル監視部は特定エリア内の移動機と基地局間の制御チャネルを監視し、音声通信の呼を表す信号を検出すると、通話用の無線チャネルのみに妨害電波発生部を駆動して妨害電波を発生するようにしたものが開示されている。
【先行技術文献】
【特許文献】
【０００３】
【特許文献１】特開２００５−４５８３９号公報
【発明の概要】
【発明が解決しようとする課題】
【０００４】
しかしながら、特許文献１に示される装置では、携帯電話の電波自体を妨害するため、現金自動支払機付近での携帯電話の通話のみを規制し、携帯電話でのメールの送受信を可能とするなど、特定の呼種（Ｐａｃｋｅｔ  Ｓｅｒｖｉｃｅ：ＰＳまたはＣｏｎｖｅｒｓａｔｉｏｎ  Ｓｅｒｖｉｃｅ：ＣＳ）に絞った携帯電話の通信規制が実現できない。
【０００５】
上述の課題を鑑み、本発明は、特定エリアでの特定呼種の携帯電話の通信規制を実現することができる移動通信システム、移動通信システムの通信規制方法、基地局、及びフェムトセルを提供することを目的とする。
【課題を解決するための手段】
【０００６】
上述の課題を解決するために、本発明は、移動端末と、移動端末と無線で通信を行う基地局と、基地局の制御を行う基地局制御装置と、他の局とのリンクの制御を行う移動交換局とから構成される移動通信システムにおいて、特定の呼種の発呼を規制するフェムトセルを、発呼を規制する特定のエリアに配置したことを特徴とする。
【０００７】
本発明は、移動端末と、移動端末と無線で通信を行う基地局と、基地局の制御を行う基地局制御装置と、他の局とのリンクの制御を行う移動交換局とから構成される移動通信システムの通信規制方法において、特定の呼種の発呼を規制するフェムトセルを、発呼を規制する特定のエリアに配置し、基地局は、移動端末からのメジャーメント・レポートの受信をトリガとして、フェムトセルに対して他にリンクしないリロケーションを起動することを特徴とする。
【０００８】
本発明は、移動端末からのメジャーメント・レポートの受信をトリガとして、フェムトセルに対して他にリンクしないリロケーションを起動する手段を備えたことを特徴とする。
【０００９】
本発明は、発呼を規制する特定のエリアに配置され、特定の呼種の発呼を規制するフェムトセルであって、リロケーションが完了した場合に、規制対象の呼種であるかどうかを判断する手段と、規制対象の呼種である場合に、通信を切断する手段とを備えたことを特徴とする。
【００１０】
本発明は、発呼を規制する特定のエリアに配置され、特定の呼種の発呼を規制するフェムトセルであって、コネクション・リクエストを受信した場合には、規制対象の呼種であるかどうかを判断する手段と、規制対象の呼種である場合に、コネクションを拒否する手段と備えたことを特徴とする。
【００１１】
本発明は、移動端末と、前記移動端末と無線で通信を行う基地局と、前記基地局の制御を行う基地局制御装置と、他の局とのリンクの制御を行う移動交換局とから構成される移動通信システムの通信規制方法において、特定の呼種の発呼を規制するフェムトセルを、発呼を規制する特定のエリアに配置し、前記基地局は、前記移動端末からのメジャーメント・レポートの受信をトリガとして、当該移動端末からの呼の呼種が前記フェムトセルにおいて規制対象の呼種であるかどうかを判断し、規制対象の呼種である場合に、呼解放することを特徴とする。
【００１２】
前記フェムトセルまたは、前記基地局は、規制対象の呼種を検出する毎に、相手側の移動端末の識別番号に対応付けて検出回数を記憶手段に登録し、前記記憶手段が記憶する検出回数のうち、検出回数が所定の値以上となるものが存在する場合に当該検出回数に対応付けられた識別番号を外部システムに通知することを特徴とする。
【発明の効果】
【００１３】
本発明によれば、特定の呼種の発呼を規制するフェムトセルを発呼を規制する特定のエリアに配置し、メジャーメント・レポートの受信をトリガにして、他にリンクしないリロケーションを起動することで、特定エリアでの特定呼種を呼解放し、また、特定エリアでの特定呼種の発呼を規制することができる。
【図面の簡単な説明】
【００１４】
【図１】本発明の第１の実施形態における規制専用のフェムトセルの配置の一例の説明図である。
【図２】本発明の第１の実施形態の移動通信システムの構成を示すブロック図である。
【図３】本発明の第１の実施形態の移動通信システムの説明に用いるフローチャートである。
【図４】本発明の第１の実施形態の移動通信システムの説明に用いるフローチャートである。
【図５】本発明の第１の実施形態の移動通信システムの説明に用いるフローチャートである。
【図６】本発明の第１の実施形態の移動通信システムの説明に用いるフローチャートである。
【図７】本発明の第２の実施形態における規制専用のフェムトセルの配置の一例の説明図である。
【図８】本発明の第２の実施形態の移動通信システムの説明に用いるフローチャートである。
【図９】本発明の第２の実施形態の移動通信システムの説明に用いるフローチャートである。
【発明を実施するための形態】
【実施例１】
【００１５】
以下、本発明の実施の形態について図面を参照しながら説明する。本発明の第１の実施形態は、規制専用のフェムトセル（Ｆｅｍｔｏｃｅｌｌ）を設けることで、特定エリアでの特定呼種を規制するものである。フェムトセルとは、半径数十ｍ程度のきわめて小さな範囲の携帯電話の通話エリア（セル）、及びその基地局である。フェムトセルは、（ＤＳＬ（Ｄｉｇｉｔａｌ  Ｓｕｂｓｃｒｉｂｅｒ  Ｌｉｎｅ）や光ケーブルなどの）ブロードバンド回線を通してサービス・プロバイダのネットワークへ接続できる。
【００１６】
図１は、規制専用のフェムトセルの配置の一例である。図１に示すように、例えば、現金自動支払機２０が置かれている周辺での特定呼種の発呼を規制したい場合には、図１に示すように、現金自動支払機２０の近傍に、フェムトセルの基地局２１が配置される。これにより、現金自動支払機２０の近傍のエリア２２での特定呼種の発呼を規制することができる。以下、呼種や発呼など、「呼」という文言を用いるが、これらは音声通信の手続きに限らず、例えば、メールやウェブによる通信の手続きを含む。
【００１７】
また、フェムトセルの基地局２１は、同一の移動端末が特定呼種の発呼を頻繁に行う場合、当該移動端末の電話番号を警察や消防などの外部システムに通知する。これにより、フェムトセルの基地局２１は、規制中に特定呼種の通信を続ける移動端末の電話番号を規制発生時に第三者に認識させることができる。
【００１８】
図２は、本発明の第１の実施形態の移動通信システムの構成を示すものである。このシステムは、ＩＭＴ−２０００システムにおける移動通信システムである。
【００１９】
図２において、移動端末（ＵＥ：Ｕｓｅｒ  Ｅｑｕｉｐｍｅｎｔと称される）１０は、ユーザが携帯している端末である。基地局（Ｎｏｄｅ  Ｂと称される）１２は、移動端末１０と無線で通信を行う。基地局制御装置（ＲＮＣ：Ｒａｄｉｏ  Ｎｅｔｗｏｒｋ  Ｃｏｎｔｒｏｌｌｅｒと称される）１３は、ＩＭＴ−２０００システムの基地局制御装置であり、基地局１２を制御している。移動交換局（ＣＮ：Ｃｏｒｅ  Ｎｅｔｗｏｒｋと称される）１５は、他の局とのリンクの制御を行っている。規制専用のフェムトセル１６は、前述のように、特定エリアでの特定呼種の発呼を規制するために設けられる。この規制専用のフェムトセル１６のカバーエリアは、図１における特定呼種の発呼を規制するエリア２２と対応している。ゲートウェイ装置１４は、複数のフェムトセルを束ねて移動交換局（ＣＮ：Ｃｏｒｅ  Ｎｅｔｗｏｒｋと称される）１５との通信を行う装置である。
【００２０】
また、フェムトセル１６は、規制対象呼のＣＮ側の電話番号を示す規制対象呼対向電話番号と規制対象呼の発呼回数を示す規制回数カウンターとを関連付けて格納する規制対象呼対向電話番号データベース１７と接続されている。なお、規制対象呼対向電話番号データベース１７は、規制対象呼対向電話番号を主キーとしてデータを格納している。なお、規制対象呼種対向電話番号とは、フェムトセルに在圏する移動端末に対向して規制対象呼種を発呼する移動端末の電話番号を示す。
【００２１】
移動端末１０は、基地局１２のセル１１内にあるときには、基地局１２と通信を行う。また、移動端末１０は、ハンドオーバー候補の周辺基地局に、下りリンクの受信状態を示すメジャーメント・レポートを送っている。
【００２２】
通信中に移動端末１０が規制専用のフェムトセル１６の近隣に移動してくると、無線基地局制御装置１３は、規制専用のフェムトセル１６の情報を設定したメジャーメント・コントロールを移動端末１０に送信する。これにより、移動端末１０は、規制専用のフェムトセル１６が認識可能となる。
なお、無線基地局制御装置１３は、断続的に移動端末に複数ある無線リンクの中で最も品質の良いセルを測定させるメジャーメント・コントロールを送信している。そして、移動端末１０は、メジャーメント・コントロールを受信すると、セルの測定を行い、その結果を示すメジャーメント・レポートを無線基地局制御装置１３に送信する。
【００２３】
無線基地局制御装置１３は、移動端末１０からのメジャーメント・レポートを受信すると、規制対象の呼種かどうかを判断し、規制対象の呼種なら、規制専用のフェムトセル１６からのレポートかどうかを判断し、規制専用のフェムトセル１６からのレポートであれば、他にリンクしないリロケーションを起動する。移動端末１０が規制専用のフェムトセル１６内に入ると、移動端末１０は、規制専用のフェムトセル１６へのリロケーションが行われる。規制専用のフェムトセル１６は、リロケーションが完了すると、規制対象の呼種であるかどうかを判断し、規制対象の呼種である場合には、移動交換局１５に、ＲＡＢ（Ｒａｄｉｏ  Ａｃｃｅｓｓ  Ｂｅａｒｅｒ）解放リクエストを送信して、呼解放する。
【００２４】
また、規制専用のフェムトセル１６は、ＲＲＣ（Ｒａｄｉｏ  Ｒｅｓｏｕｒｃｅ  Ｃｏｎｔｒｏｌ）コネクション・リクエストを受信すると、規制対象の呼種であるかどうかを判断し、規制対象の呼種である場合には、コネクションを拒否する。
【００２５】
このようにして、本発明の第１の実施形態では、無線基地局制御装置１３は、規制専用のフェムトセル１６からのメジャーメント・レポートの受信をトリガにして、他にリンクしないリロケーションを起動することで、規制専用のフェムトセル１６が配置された特定エリアの特定呼種の発呼を規制することができる。
【００２６】
次に、規制専用のフェムトセル（ｆｅｍｔｏｃｅｌｌ）１６が配置された特定エリアでの特定呼種の発呼を規制する方法の具体例について説明する。
【００２７】
（１）通信中の特定呼種の呼解放方式
本発明の実施の形態では、通信中の移動端末１０が規制専用のフェムトセル１６内に移動すると、規制対象の呼種である場合には、呼解放する。このときの動作について、説明する。
【００２８】
先ず、事前に、規制専用のフェムトセル１６のプライマリ・スクランブル・コード（Ｐｒｉｍａｒｙ  Ｓｃｒａｍｂｌｉｎｇ  ｃｏｄｅ（各セルを識別するためのセル毎に固有の符号であり、詳細は３ＧＰＰ  ２５．３３１参照）又はセルＩＤが決定され、規制専用のフェムトセル１６に、そのプライマリ・スクランブル・コード又はセルＩＤの値が設定される。また、移動端末１０が規制専用のフェムトセル１６の電波を検出し易くするために、規制専用のフェムトセル１６のＨＣＳ（Ｈｉｅｒａｒｃｈｉｃａｌ  Ｃｅｌｌ  Ｓｔｒｕｃｔｕｒｅ）プライオリティ（ＨＣＳ  Ｐｒｉｏｒｉｔｙ（３ＧＰＰ  ２５．３３１  ＨＣＳ＿ＰＲＩＯ参照））がもっとも高い値に設定される。なお、ＨＣＳプライオリティは、移動端末１０がＲＲＣコネクション・リクエストを送信するセルを決定する際の優先度を示す。
また、無線基地局制御装置１３により、規制専用のフェムトセル１６の近隣にあるセルに対して、規制専用のフェムトセル１６の情報が登録される。
【００２９】
実際に通信中の移動端末１０が規制専用のフェムトセル１６の近隣に移動してくると、無線基地局制御装置１３は、イントラ周波数メジャーメント（Ｉｎｔｒａ−ｆｒｅｑｕｅｎｃｙ  ｍｅａｓｕｒｅｍｅｎｔ）又はインター周波数メジャーメント（Ｉｎｔｅｒ−ｆｒｅｑｕｅｎｃｙ  ｍｅａｓｕｒｅｍｅｎｔ）に規制専用のフェムトセル１６の情報を設定したメジャーメント・コントロール（Ｍｅａｓｕｒｅｍｅｎｔ  Ｃｏｎｔｒｏｌ）を移動端末１０に送信する。これにより、移動端末１０は、規制専用のフェムトセル１６を認識可能となる。
ここで、イントラ周波数メジャーメントは、同じ周波数で複数のセルの測定を行う測定方法を示し、インター周波数メジャーメントは、セル毎に異なる周波数で測定を行う測定方法を示す。
【００３０】
移動端末１０は、ダウンリンクの受信信号のレベルや品質が変動したとき等にイベントが発生し、受信状態を測定したメジャーメント・レポート（Ｍｅａｓｕｒｅｍｅｔ  Ｒｅｐｏｒｔ）を基地局１２へ送信する。
【００３１】
無線基地局制御装置１３は、特定呼種に対して、メジャーメント・レポート（イベント１ａ、１ａ’、１ｃ、２ａ）を受信した場合、アディショナル・メジャード・リザルツ（Ａｄｄｉｔｉｏｎａｌ  Ｍｅａｓｕｒｅｄ  ｒｅｓｕｌｔｓ）内のメジャー・リザルツ（Ｍｅａｓｕｒｅｄ  Ｒｅｓｕｌｔｓ）のプライマリ・スクランブル・コード又はセルＩＤの値をチェックする。特定呼種は、ＲＲＣコネクション・リクエスト（ＲＲＣ  Ｃｏｎｎｅｃｔｉｏｎ  Ｒｅｑｕｅｓｔ）のエスタブリッシュメント・コウズ（ｅｓｔａｂｌｉｓｈｍｅｎｔ  ｃａｕｓｅ）で判断する。前述したように、規制専用のフェムトセル１６のプライマリ・スクランブル・コード又はセルＩＤは、事前に決定されている。このため、プライマリ・スクランブル・コード又はセルＩＤの値から、規制専用のフェムトセル１６かどうかを判断できる。この値があらかじめ決められた規制専用のフェムトセル１６のプライマリ・スクランブル・コード又はセルＩＤであれば、無線基地局制御装置１３は移動交換局１５に対して、リロケーション・リクワイアド（ＲＡＮＡＰ：  Ｒｅｌｏｃａｔｉｏｎ  Ｒｅｑｕｉｒｅｄ）を送信し、ＵＥインボルブド・ＳＲＮＳ・リロケーション・ウイズアウト・Ｉｕｒ（ＵＥ  ｉｎｖｏｌｖｅｄ  ＳＲＮＳ  ｒｅｌｏｃａｔｉｏｎ  ｗｉｔｈｏｕｔ  Ｉｕｒ）を起動する。なお、用語Ｉｕｒは、ＲＮＣと別のＲＮＣの間のインタフェースまたはリンクのことを指す。
【００３２】
規制専用のフェムトセル１６は、ＵＥインボルブド・ＳＲＮＳ・リロケーション・ウイズアウト・Ｉｕｒの完了後に、移動交換局１５に対して、ＲＡＢ（Ｒａｄｉｏ  Ａｃｃｅｓｓ  Ｂｅａｒｅｒ）解放リクエスト（ＲＡＮＡＰ：  ＲＡＢ  Ｒｅｌｅａｓｅ  Ｒｅｑｕｅｓｔ）を送信し、特定呼種のＲＡＢを解放する。
【００３３】
図３は、無線基地局制御装置１３での、メジャーメント・レポート受信時の処理を示すものである。
【００３４】
無線基地局制御装置１３は、メジャーメント・レポート（イベント１ａ、１ａ’、１ｃ、２ａ）受信時に、規制を行いたい呼種であるかどうかを、判断する（ステップＳ１）。特定呼種は、前述したように、ＲＲＣコネクション・リクエストのエスタブリッシュメント・コウズで判断する。すなわち、エスタブリッシュメント・コウズに格納される呼種の情報が規制を行う呼主を示しているかを判断する。
【００３５】
規制を行いたい呼種でなければ（ステップＳ１のＮｏ）、無線基地局制御装置１３は、通常のメジャーメント・レポート受信時の処理を行う（ステップＳ２）。
【００３６】
規制を行いたい呼種であれば（ステップＳ１のＹｅｓ）、無線基地局制御装置１３は、メジャーメント・レポート内のアディショナル・メジャード・リザルツ内のメジャード・リザルツのプライマリ・スクランブル・コード又はセルＩＤの値があらかじめ決められた規制専用のフェムトセル１６のものであるかどうかを判断する（ステップＳ３）。
【００３７】
プライマリ・スクランブル・コード又はセルＩＤの値があらかじめ決められた規制専用のフェムトセル１６のものでなければ（ステップＳ３のＮｏ）、ステップＳ２に進み、無線基地局制御装置１３は、通常のメジャーメント・レポート受信時の処理を行う。
【００３８】
プライマリ・スクランブル・コード又はセルＩＤの値があらかじめ決められた規制専用のフェムトセル１６のものであれば（ステップＳ３のＹｅｓ）、無線基地局制御装置１３は、ＵＥインボルブド・ＳＲＮＳ・リロケーション・ウイズアウト・Ｉｕｒを起動する（ステップＳ４）。
【００３９】
図４は、ＵＥインボルブド・ＳＲＮＳ・リロケーション・ウイズアウト・Ｉｕｒ完了直後の規制専用のフェムトセル１６での処理方法を示すものである。
【００４０】
図４において、規制専用のフェムトセル１６は、移動交換局１５へ、ＲＡＮＡＰロケーション・コンプリートを送信した後に、その呼が規制を行いたい呼種であるかどうかを判断する（ステップＳ１１）。特定呼種は、前述したように、ＲＲＣコネクション・リクエストのエスタブリッシュメント・コウズで判断する。
【００４１】
規制を行いたい呼種でなければ（ステップＳ１１のＮｏ）、呼を継続する（ステップＳ１２）。
【００４２】
規制を行いたい呼種であれば（ステップＳ１１のＹｅｓ）、規制専用のフェムトセル１６は、移動交換局１５へＲＡＢ解放リクエストを送信し、規制対象の呼種のＲＡＢを解放する（ステップＳ１３）。
【００４３】
（２）特定エリアでの特定呼種の発呼規制方式
本発明の実施の形態では、移動端末１０が規制専用のフェムトセル１６内に移動すると、特定呼種の発呼が規制される。このときの動作について、説明する。
【００４４】
図５は、ＲＲＣコネクション・リクエスト受信時の規制専用のフェムトセル１６での処理方法を示すものである。
【００４５】
規制専用のフェムトセル１６は、ＲＲＣコネクション・リクエストを受信すると、規制を行いたい呼種であるかどうかを判断する（ステップＳ２１）。これは、ＲＲＣコネクション・リクエストのエスタブリッシュメント・コウズで判断できる。
【００４６】
規制を行いたい呼種でなければ（ステップＳ２１のＮｏ）、通常の呼確立を実施する（ステップＳ２２）。
【００４７】
規制を行いたい呼種であれば（ステップＳ２１のＹｅｓ）、規制専用のフェムトセル１６は、移動交換局１５へＲＲＣコネクション・リジェクトを送信し、呼確立を拒否する（ステップＳ２３）。
【００４８】
次に、規制専用のフェムトセル１６が配置された特定エリアでの特定呼種となった呼のＣＮ側の電話番号を外部システムに通知する方法の具体例について説明する。
図６は、フェムトセル１６が特定呼種のＣＮ側の電話番号を通知する方法を示すものである。
上述した処理により、規制対象となった呼の呼解放が完了すると、フェムトセル１６は、呼解放を行った規制対象呼が発信呼であったか着信呼であったかを判定する（ステップＳ３１）。なお、呼が発信呼であったか着信呼であったかは、ＲＲＣコネクション・リクエストのエスタブリッシュメント・コウズによって判定することができる。
【００４９】
発信呼であった場合（ステップＳ３１のＹｅｓ）、フェムトセル１６は、当該規制対象呼における呼確立中のＤＴ１（Ｄａｔａ  Ｔｒａｎｓｆａｒ  １）メッセージ内のＣａｌｌｅｄ  ｐａｒｔｙ  ＢＣＤ  ｎｕｍｂｅｒ（着番号）を規制対象呼対向電話番号として取得する（ステップＳ３２）。
他方、着信呼であった場合（ステップＳ３１のＮｏ）、フェムトセル１６は、当該規制対象呼における呼確立中のＤＴ１メッセージ内のＣａｌｌｉｎｇ  ｐａｒｔｙ  ＢＣＤ  ｎｕｍｂｅｒ（発番号）を規制対象呼対向電話番号として取得する（ステップＳ３３）。
【００５０】
フェムトセル１６は、ステップＳ３２またはステップＳ３３で規制対象呼対向電話番号を取得すると、取得した規制対象呼対向電話番号が規制対象呼対向電話番号データベース１７に登録されているか否かを判定する（ステップＳ３４）。登録されているか否かの判定は、例えば、フェムトセル１６が取得した規制対象呼対向電話番号をキーとして規制対象呼対向電話番号データベース１７のデータを検索し、ヒットするデータが存在するか否かを判定することで行う。
【００５１】
フェムトセル１６は、取得した規制対象呼対向電話番号が規制対象呼対向電話番号データベース１７に登録されていないと判定した場合（ステップＳ３４のＮｏ）、規制対象呼対向電話番号データベース１７に取得した規制対象呼対向電話番号を登録し、登録した規制対象呼対向電話番号に対応付けて、規制回数カウンターとして１を登録する（ステップＳ３５）。規制対象呼対向電話番号データベース１７への登録が終了すると、フェムトセル１６は、処理を終了し、次の規制対象呼の呼解放を待機する。
他方、フェムトセル１６は、取得した規制対象呼対向電話番号が規制対象呼対向電話番号データベース１７に登録されていると判定した場合（ステップＳ３４のＹｅｓ）、当該規制対象呼対向電話番号に対応付けて規制対象呼対向電話番号データベース１７に登録されている規制回数カウンターが予め設定された通知規制回数以上であるか否かを判定する（ステップＳ３６）
【００５２】
フェムトセル１６は、規制回数カウンターが予め設定された通知規制回数以上でないと判定した場合（ステップＳ３６のＮｏ）、規制回数カウンターの値に１を加えて規制対象呼対向電話番号データベース１７に上書き登録する（ステップＳ３７）。規制対象呼対向電話番号データベース１７への登録が終了すると、フェムトセル１６は、処理を終了し、次の規制対象呼の呼解放を待機する。
他方、フェムトセル１６は、規制回数カウンターが予め設定された通知規制回数以上であると判定した場合（ステップＳ３６のＹｅｓ）、外部システムに規制対象呼対向電話番号情報を通知する（ステップＳ３８）。ここで、外部システムとは、例えば、警察や消防の緊急通報システムや、携帯電話網の監視システムなどのことである。そして、外部システムへの通知が終了すると、フェムトセル１６は、処理を終了し、次の迷惑電話を通知する。
【００５３】
これにより、フェムトセル１６は、規制対象呼を解放する毎に、規制対象呼対向電話番号データベース１７が記憶する当該規制対象呼の発呼回数を示す規制回数カウンターを更新する。当該規制回数カウンターが所定の通知規制回数以上となった場合に当該規制対象呼のＣＮ側の移動端末の電話番号を外部システムに通知することができる。これにより、フェムトセル１６は、規制中に特定呼種の通信を続ける移動端末の電話番号を規制発生時に第三者に認識させることができる。
【００５４】
以上説明したように、本発明の実施形態では、規制専用のフェムトセル１６を設けることで、規制専用のフェムトセル１６が配置された特定エリアの特定呼種の発呼を規制することができる。また、規制専用のフェムトセル１６は、規制中に特定呼種の通信を続ける移動端末の電話番号を規制発生時に第三者に認識させることができる。
【実施例２】
【００５５】
上述した第１の実施形態では、フェムトセル１６が特定呼種の発呼を規制する例を説明したが、第２の実施形態では、基地局制御装置１３が発呼の規制を行う例を説明する。
図７は、規制専用のフェムトセルの配置の一例である。図７に示すように、第２の実施形態では、無線基地局制御装置１３が、規制対象呼対向電話番号データベース１７と接続され、無線基地局制御装置１３が発呼の規制及び移動端末の電話番号の通知を行う。
【００５６】
次に、規制専用のフェムトセル１６が配置された特定エリアでの特定呼種の発呼を規制する方法の具体例について説明する。
図８は、無線基地局制御装置１３での、メジャーメント・レポート受信時の処理を示すものである。
【００５７】
無線基地局制御装置１３は、メジャーメント・レポート（イベント１ａ、１ａ’、１ｃ、２ａ）受信時に、規制を行いたい呼種であうかどうかを、判断する（ステップＳ１０１）。特定呼種は、前述したように、ＲＲＣコネクション・リクエストのエスタブリッシュメント・コウズで判断する。
【００５８】
規制を行いたい呼種でなければ（ステップＳ１０１のＮｏ）、無線基地局制御装置１３は、通常のメジャーメント・レポート受信時の処理を行う（ステップＳ１０２）。
【００５９】
規制を行いたい呼種であれば（ステップＳ１０１のＹｅｓ）、無線基地局制御装置１３は、メジャーメント・レポート内のアディショナル・メジャード・リザルツ内のメジャード・リザルツのプライマリ・スクランブル・コード又はセルＩＤの値があらかじめ決められた規制専用のフェムトセル１６のものであるかどうかを判断する（ステップＳ１０３）。
【００６０】
プライマリ・スクランブル・コード又はセルＩＤの値があらかじめ決められた規制専用のフェムトセル１６のものでなければ（ステップＳ１０３のＮｏ）、ステップＳ１０２に進み、無線基地局制御装置１３は、通常のメジャーメント・レポート受信時の処理を行う。
【００６１】
プライマリ・スクランブル・コード又はセルＩＤの値があらかじめ決められた規制専用のフェムトセル１６のものであれば（ステップＳ１０３のＹｅｓ）、無線基地局制御装置１３は、ＣＮに対してＲＡＢリリース・リクエストを送信し、特定呼種のＲＡＢを開放する（ステップＳ１０４）。
【００６２】
次に、無線基地局制御装置１３が、特定エリアでの特定呼種となった呼のＣＮ側の電話番号を外部システムに通知する方法の具体例について説明する。
図９は、無線基地局制御装置１３が特定呼種のＣＮ側の電話番号を通知する方法を示すものである。
上述した方法によって規制対象となった呼の呼解放が完了すると、無線基地局装置１３は、呼解放を行った規制対象呼が発信呼であったか着信呼であったかを判定する（ステップＳ１３１）。なお、呼が発信呼であったか着信呼であったかは、ＲＲＣコネクション・リクエストのエスタブリッシュメント・コウズによって判定することができる。
【００６３】
発信呼であった場合（ステップＳ１３１のＹｅｓ）、無線基地局制御装置１３は、当該規制対象呼における呼確立中のＤＴ１メッセージ内の着番号を規制対象呼対向電話番号として取得する（ステップＳ１３２）。
他方、着信呼であった場合（ステップＳ１３１のＮｏ）、無線基地局制御装置１３は、当該規制対象呼における呼確立中のＤＴ１メッセージ内の発番号を規制対象呼対向電話番号として取得する（ステップＳ１３３）。
【００６４】
無線基地局制御装置１３は、ステップＳ３２またはステップＳ３３で規制対象呼対向電話番号を取得すると、取得した規制対象呼対向電話番号が規制対象呼対向電話番号データベース１７に登録されているか否かを判定する（ステップＳ１３４）。登録されているか否かの判定は、例えば、無線基地局制御装置１３が取得した規制対象呼対向電話番号をキーとして規制対象呼対向電話番号データベース１７のデータを検索し、ヒットするデータが存在するか否かを判定することで行う。
【００６５】
無線基地局制御装置１３は、取得した規制対象呼対向電話番号が規制対象呼対向電話番号データベース１７に登録されていないと判定した場合（ステップＳ１３４のＮｏ）、規制対象呼対向電話番号データベース１７に取得した規制対象呼対向電話番号を登録し、登録した規制対象呼対向電話番号に対応付けて、規制回数カウンターとして１を登録する（ステップＳ１３５）。規制対象呼対向電話番号データベース１７への登録が終了すると、無線基地局制御装置１３は、処理を終了し、次の規制対象呼の呼解放を待機する。
他方、無線基地局制御装置１３は、取得した規制対象呼対向電話番号が規制対象呼対向電話番号データベース１７に登録されていると判定した場合（ステップＳ１３４のＹｅｓ）、当該規制対象呼対向電話番号に対応付けて規制対象呼対向電話番号データベース１７に登録されている規制回数カウンターが予め設定された通知規制回数以上であるか否かを判定する（ステップＳ１３６）。
【００６６】
無線基地局制御装置１３は、規制回数カウンターが予め設定された通知規制回数以上でないと判定した場合（ステップＳ１３６のＮｏ）、規制回数カウンターの値に１を加えて規制対象呼対向電話番号データベース１７に上書き登録する（ステップＳ１３７）。規制対象呼対向電話番号データベース１７への登録が終了すると、無線基地局制御装置１３は、処理を終了し、次の規制対象呼の呼解放を待機する。
他方、無線基地局制御装置１３は、規制回数カウンターが予め設定された通知規制回数以上であると判定した場合（ステップＳ１３６のＹｅｓ）、外部システムに規制対象呼対向電話番号情報を通知する（ステップＳ１３８）。ここで、外部システムとは、例えば、警察や消防の緊急通報システムや、携帯電話網の監視システムなどのことである。そして、外部システムへの通知が終了すると、無線基地局制御装置１３は、処理を終了し、次の迷惑電話を通知する。
【００６７】
これにより、無線基地局制御装置１３は、規制対象呼を解放する毎に、規制対象呼対向電話番号データベース１７が記憶する当該規制対象呼の発呼回数を示す規制回数カウンターを更新する。当該規制回数カウンターが所定の通知規制回数以上となった場合に当該規制対象呼のＣＮ側の移動端末の電話番号を外部システムに通知することができる。これにより、無線基地局制御装置１３は、規制中に特定呼種の通信を続ける移動端末の電話番号を規制発生時に第三者に認識させることができる。
【００６８】
以上説明したように、本発明の実施形態では、無線基地局制御装置１３を用いて特定エリアの特定呼種の発呼を規制することができるため、移動端末が通信中に特定エリアに入った場合に、当該特定エリアで特定呼種での通信を規制することができる。また、無線基地局制御装置１３は、規制中に特定呼種の通信を続ける移動端末の電話番号を規制発生時に第三者に認識させることができる。
【符号の説明】
【００６９】
１０  移動端末
１１  セル
１２  基地局
１３  無線基地局制御装置
１４  ゲートウェイ装置
１５  移動交換局
１６  フェムトセル
１７  規制対象呼対向電話番号データベース
【図１】
2010206766.tif 000003
【図２】
2010206766.tif 000004
【図３】
2010206766.tif 000005
【図４】
2010206766.tif 000006
【図５】
2010206766.tif 000007
【図６】
2010206766.tif 000008
【図７】
2010206766.tif 000009
【図８】
2010206766.tif 000010
【図９】
2010206766.tif 000011